(57)【要約】      （修正有）【課題】沖縄民謡等を唄いながら三線もひけるカラオケを提供する。【解決手段】カラオケのディスプレー画面に歌詞と合わせて三線の楽譜、即ち工工四をテロップにて流す。また、工工四と歌詞は縦書きにして、画面の左から右に向かって流す。【選択図】図２
2007052381.tif 000002
【特許請求の範囲】
【請求項１】
カラオケのディスプレー画面等に歌詞と合わせて三線の楽譜、即ち工工四を表示することを特徴とした三線用カラオケ。
【請求項２】
カラオケのディスプレー画面に縦書きの工工四と歌詞を、画面の左から右に向かって流すことを特徴とした請求項第１項の三線用カラオケ。
【請求項３】
カラオケの演奏が始まる前に、ディスプレー画面に当該工工四の本調子、三下り等の調絃を表示することを特徴とした請求項第１項及び第２項の三線用カラオケ。
【発明の詳細な説明】
【技術分野】
【０００１】  本発明は、カラオケ等のディスプレー画面に沖縄の三線の楽譜、即ち工工四（クンクンシー）をテロップにて流すようにしたことを特徴とする唄いながら三線も弾けるカラオケに関するものである。
【背景技術】
【０００２】  従来より、カラオケでディスプレー画面に歌詞が流れることは周知である。もちろんカラオケはそのディスプレー画面を見ながら歌を唄うのが主であり、歌詞が流れることによって歌詞を覚えていなくとも、ディスプレー画面を見ているだけで唄えるという重宝なものである。【０００３】  カラオケでよく唄われる通常の演歌、またはポップスのような歌は、このディスプレー画面に流れる歌詞を見て唄えればそれでいいのであるが、沖縄地方においては土地に伝わる民謡がカラオケでよく唄われる。もちろん、一般の演歌とかポップスも唄われているが、その民謡とか演歌、ポップスを唄いながら三線を弾く人が多い。特に沖縄民謡の場合は歌に合わせて三線を弾く人が多い。【０００４】  しかし、その民謡とか演歌、ポップスの曲を完全に覚えてしまっている人はいいが、曲を覚えていない人はカラオケのディスプレー画面の歌詞を見ながら、更に三線の楽譜、即ち工工四を見て三線を弾かなければならず、三線初心者には非常に困難なことであった。
【発明の開示】
【発明が解決しようとする課題】
【０００５】  解決しようとする問題点は、沖縄民謡等を唄いながら三線も弾けるカラオケの開発が解決しようとする課題である。
【課題を解決するための手段】
【０００６】  本発明は、カラオケのディスプレー画面に歌詞と合わせて三線の楽譜、即ち工工四をテロップにて流すことを課題を解決するための手段としている。
【発明の効果】
【０００７】  従来、カラオケの沖縄民謡等に合わせて三線を弾く場合、カラオケのディスプレー画面に表示される歌詞を見ながら、別途三線の工工四も見なければならず、これは三線初心者には極めて難事であったが、本発明ではカラオケのディスプレー画面に歌詞と共に三線の工工四が流れるので、唄いながら容易に三線を弾く事ができ、また画面に三線奏者の特に手の動きの部分を表示すれば、三線初心者とか練習者は、その手の動きに合わせて三線を弾くことができる等、沖縄のみならず三線の普及に貢献度が高い等、極めて顕著なる種々の効果が得られるものである。
【発明を実施するための最良の形態】
【０００８】  カラオケのディスプレー画面等に歌詞と合わせて三線の楽譜、即ち工工四を表示することを特徴とした三線用カラオケであり、更には、カラオケのディスプレー画面に縦書きの工工四と歌詞を、画面の左から右に向かって流すことを特徴とした請求項第１項の三線用カラオケであり、更には、カラオケの演奏が始まる前に、ディスプレー画面に当該工工四の本調子、三下り等の調絃を表示することを特徴とした請求項第１項及び第２項の三線用カラオケを呈せんとするものである。
【実施例１】
【０００９】  実施例について説明すれば、図１は本発明に係るカラオケのディスプレー画面に工工四を表示している状態の図で、図２及び図３は同じく工工四を流す工程を説明する図である。図４は調絃を表示する画像であり、図５は工工四（有限会社キャンパスの沖縄島唄工工四集より）である。【００１０】  図１に示すように、カラオケ等のディスプレー画面に縦書きの工工四と歌詞を表示している。この際、画面に表示された工工四は横方向に流すのではなく固定状態であり、ただ、曲の進行に従って、工工四の文字の色を変えていくようにしている。長い曲の場合は、１頁が終了後に２頁を表示する。【００１１】  カラオケ等のディスプレー画面に、図２、図３、図に示すように縦書きの工工四と歌詞を、画面の左から右に向かってテロップで流している。この際、曲の進行に従って、工工四の文字の色を変えていくようにしている。本来の工工四には繰り返し部分がある場合、矢印等の繰り返し記号で、↑までくれば↓に戻って繰り返すように表記されているが、本実施例におけるディスプレー画面に工工四を流す場合は繰り返し部分の工工四を更に流せばよい。尚、図１、図２、図３において、ディスプレー画面に流している工工四の各行の間隔は実施例に限定されるものではなく、間隔は適宜広げてもよい。【００１２】  またカラオケのディスプレー画面に工工四を流すのと合わせて、背景に三線演奏者が実際にその曲を弾いている姿、特に三線を弾く手の部分を表示し、工工四と合わせて演奏者の手の動きを見てカラオケ使用者が三線を弾けるようにもしている。【００１３】  本実施例においては、カラオケの演奏が始まる前に、ディスプレー画面に当該工工四の本調子、三下り等の調絃を表示している。調絃の表示方法については実施例に限定を受けるものではない。【００１４】  ディスプレー画面に表示される工工四について簡単に説明すれば、四角の枠の中に入っている文字は一拍、枠と枠の線の上に書かれている文字は半拍を表している。枠の中の○は休みを表しており、文字の右上に「、」が表示されている場合は、右手では弾かず、左手でその文字の勘所を軽く叩いて音を出すことを表している。矢印は繰り返し記号で、↑までくれば↓に戻って繰り返すことを表しているが、本実施例においては工工四をディスプレー画面に流すので、繰り返し部分の工工四を更に流せばよい。
【産業上の利用可能性】
【００１５】  本発明は、カラオケのディスプレー画面に歌詞と合わせて三線の楽譜、即ち工工四を表示することを特徴とした三線用カラオケであり、更には、カラオケのディスプレー画面に縦書きの工工四と歌詞を、画面の左から右に向かって流すことを特徴とした請求項第１項の三線用カラオケであり、更には、カラオケの演奏が始まる前に、ディスプレー画面に当該工工四の本調子、三下り等の調絃を表示することを特徴とした請求項第１項及び第２項の三線用カラオケであるから、従来カラオケの沖縄民謡等に合わせて三線を弾く場合カラオケのディスプレー画面に表示される歌詞を見ながら別途三線の工工四も見なければならず、これは三線初心者には極めて難事であったが、本発明ではカラオケのディスプレー画面に歌詞と共に三線の工工四が流れるので、唄いながら容易に三線を弾く事ができ、また、画面に三線奏者の特に手の部分の動きを表示すれば、三線初心者とか練習者は、その手の動きに合わせて三線を弾くことができる等、沖縄のみならず三線の普及にその利用可能性が極めて大である。
【図面の簡単な説明】
【００１６】
【図１】  本発明実施例のカラオケのディスプレー画面の正面図。
【図２】  本発明実施例のカラオケのディスプレー画面の工工四を流す工程の説明図。
【図３】  本発明実施例のカラオケのディスプレー画面の工工四を流す工程の説明図。
【図４】  調絃を表示するディスプレー画面の説明図。
【図５】  工工四の説明図である。
【符号の説明】
【００１７】    １  ディスプレー画面
２  工工四
【図１】
2007052381.tif 000003
【図２】
2007052381.tif 000004
【図３】
2007052381.tif 000005
【図４】
2007052381.tif 000006
【図５】
2007052381.tif 000007